(57)【要約】      （修正有）【課題】裁断した端縁がほつれない、経方向及び緯方向に伸縮性のあるアウターウエアとしても使用することができる生地を提供する。【解決手段】繊度が３３デシテックスの熱融着弾性糸と繊度が８０番手の綿糸とを用いて、ダイヤルシリンダタイプの丸編機によって編成されるインターロック編組織（両面編組織）の編地１０にヒートセット加工を施したものであり、編成された編地１０は１インチ当り３２ウエール以上の密度を有している。綿糸は給糸口を通じて、熱融着弾性糸は極力張力をかけずに編成するために給糸ローラを経て、それぞれがダイヤル釜及びシリンダ釜の全てのフィーダーに給糸され、バットの位置の異なる２種類のダイヤル針と、バットの位置の異なる２種類のシリンダ針とを使用して編成されている。【選択図】図１
0003142666.tif 000002
【実用新案登録請求の範囲】
【請求項１】
バットの位置の異なる２種類以上のダイヤル針とバットの位置の異なる２種類以上のシリンダ針とを使用して編み立てるダイヤルシリンダタイプの丸編機におけるダイヤル釜及びシリンダ釜のそれぞれのフィーダに熱融着弾性糸及びそれ以外の糸を給糸または熱融着弾性糸を芯にしたカバーリング糸を給糸して編成した編地にヒートセット加工を施した生地であって、
前記編地が、１インチ当り３２ウエール以上の密度を有していることを特徴とする生地。
【請求項２】
熱融着弾性糸を含む１本または複数本の糸によって編成された、少なくとも一部に両面編み組織を含む編地にヒートセット加工を施した生地であって、
前記編地が、１インチ当り３２ウエール以上の密度を有していることを特徴とする生地。
【考案の詳細な説明】
【技術分野】
【０００１】
この考案は、Ｔシャツ、薄手のジャケット等のアウターウエアに適した生地、特に、裁断した端縁にほつれ止めの縫製加工を施さなくてもよい、ほつれ止め機能を有する生地に関する。
【背景技術】
【０００２】
裁断してもその端縁がほつれない生地としては、非弾性糸と弾性糸とを同行させた１×１編み組織であって、各編針において非弾性糸と弾性糸のうち少なくとも一方を閉じ目により編成した伸縮性たて編地によって形成したものがあり、この生地は、少なくとも一方の糸を閉じ目により編成することで、編目の安定とほつれの防止を図っている。
【０００３】
また、その他の生地としては、低融点ポリウレタン弾性糸等の熱融着弾性糸とそれ以外の糸とをプレーティング編により編成したよこ編地にヒートセット加工を施したものがあり、この生地は、ヒートセット加工によって熱融着弾性糸を溶融させることで、ほつれ止め機能を付与している。
【０００４】
【特許文献１】特開２００３−１４７６１８号公報
【特許文献１】特開２００５−１１３３４９号公報
【考案の開示】
【考案が解決しようとする課題】
【０００５】
しかしながら、上述したようなほつれ止め機能を有する生地はいずれも薄地であり、ガードル、ショーツ、アンダーシャツ、パンツ等のインナーウエアを形成する生地としては適しているが、Ｔシャツ、薄手のジャケット等のアウターウエアを形成する生地としては適していないという問題がある。
【０００６】
そこで、この考案の課題は、裁断した端縁がほつれない、経方向及び緯方向に伸縮性のあるアウターウエアとしても使用することができる生地を提供することにある。
【課題を解決するための手段】
【０００７】
上記の課題を解決するため、請求項１にかかる考案は、バットの位置の異なる２種類以上のダイヤル針とバットの位置の異なる２種類以上のシリンダ針とを使用して編み立てるダイヤルシリンダタイプの丸編機におけるダイヤル釜及びシリンダ釜のそれぞれのフィーダに熱融着弾性糸及びそれ以外の糸を給糸または熱融着弾性糸を芯にしたカバーリング糸を給糸して編成した編地にヒートセット加工を施した生地であって、前記編地が、１インチ当り３２ウエール以上の密度を有していることを特徴とする生地を提供するものである。
【０００８】
また、上記の課題を解決するため、請求項２にかかる考案は、熱融着弾性糸を含む１本または複数本の糸によって編成された、少なくとも一部に両面編み組織を含む編地にヒートセット加工を施した生地であって、前記編地が、１インチ当り３２ウエール以上の密度を有していることを特徴とする生地を提供するものである。
【考案の効果】
【０００９】
以上のように、請求項１にかかる考案の生地は、熱融着弾性糸及びそれ以外の糸の双方または熱融着弾性糸を芯にしたカバーリング糸を給糸して、バットの位置の異なる２種類以上のダイヤル針とバットの位置の異なる２種類以上のシリンダ針とを使用して編成した、１インチ当り３２ウエール以上の密度を有している編地にヒートセット加工を施したものであるので、裁断しても、その端縁がほつれることがなく、経方向及び緯方向に伸縮性があり、しかも、高密度であるので、アウターウエアの素材として適している。
【００１０】
また、請求項２にかかる考案の生地は、熱融着弾性糸を含む１本または複数本の糸によって編成された、１インチ当り３２ウエール以上の密度を有し、少なくとも一部に両面編み組織を含む編地にヒートセット加工を施したものであるので、裁断しても、その端縁がほつれることがなく、経方向及び緯方向に伸縮性があり、しかも、高密度であるので、アウターウエアの素材として適している。
【考案を実施するための最良の形態】
【００１１】
以下、実施の形態について図面を参照して説明する。この考案に係る生地は、図１（ａ）、（ｂ）及び図２に示すように、繊度が３３デシテックスの熱融着弾性糸１１と繊度が８０番手の綿糸１２とを用いて、ダイヤルシリンダタイプの丸編機によって編成されるインターロック編組織（両面編組織）の編地１０にヒートセット加工を施したものであり、編成された編地１０は１インチ当り３２ウエール以上の密度を有している。なお、図１（ａ）、（ｂ）では、熱融着弾性糸１１及び綿糸１２からなる２本の糸を１本の糸として表しており、同図に黒塗りで表示されている糸及び白抜きで表示されている糸は、それぞれ、熱融着弾性糸１１及び綿糸１２の２本の糸によって構成されている。
【００１２】
また、綿糸１２は給糸口を通じて、熱融着弾性糸１１は極力張力をかけずに編成するために給糸ローラを経て、それぞれがダイヤル釜及びシリンダ釜の全てのフィーダーに給糸され、図３に示すように、バットｂの位置の異なる２種類のダイヤル針ＤＮＳ、ＤＮＬと、バットｂの位置の異なる２種類のシリンダ針ＣＮＳ、ＣＮＬとを使用して編み立てるようになっている。なお、綿糸１２が通る給糸口と熱融着弾性糸１１が通る給糸ローラの位置関係は最適な角度を保持するように設定される。
【００１３】
図４は他の実施形態である生地のベースとなる編地の編成記号を示している。この生地は、繊度が３３デシテックスの熱融着弾性糸１１と８０番手の綿糸１２とを用いて、ダイヤルシリンダタイプの丸編機によって編成されるモックロディ編組織（両面編であるインターロック編にダイヤル天竺編及びシリンダ天竺編を加えた編組織）の編地にヒートセット加工を施したものであり、編地１０と同様に、１インチ当り３２ウエール以上の密度を有している。
【００１４】
上述した各実施形態の生地は、熱融着弾性糸１１及び綿糸１２の２本の糸をダイヤル釜及びシリンダ釜のフィーダーに給糸して、バットｂの位置の異なる２種類のダイヤル針ＤＮＳ、ＤＮＬとバットｂの位置の異なる２種類のシリンダ針ＣＮＳ、ＣＮＬとを使用して編成した、少なくとも一部に両面編組織を含み、１インチ当り３２ウエール以上の密度を有している編地にヒートセット加工を施したものであるので、裁断しても、その端縁がほつれることがなく、経方向及び緯方向に伸縮性があり、しかも、高密度であるので、Ｔシャツや薄手のジャケット等のアウターウエアの素材として適している。
【００１５】
特に、モックロディ編組織を採用している第２の実施形態の生地は、インターロック編組織を採用している第１の実施形態の生地に比べて熱融着点の数が増えるので、裁断した端縁のほつれ止め機能がさらに向上する。
【００１６】
なお、上述した各実施形態では、熱融着弾性糸１１及び綿糸１２という２本の糸を用いて編成した編地を採用しているが、これに限定されるものではなく、熱融着弾性糸を芯にしたカバーリング糸を用いて編成した編地や、少なくとも１本の熱融着弾性糸が含まれているのであれば、３本以上の糸によって編成した編地等を採用してもよい。
【００１７】
また、上述した各実施形態では、バットｂの位置の異なる２種類のダイヤル針ＤＮＳ、ＤＮＬと、バットｂの位置の異なる２種類のシリンダ針ＣＮＳ、ＣＮＬとを使用して編成した編地を採用しているが、これに限定されるものではなく、バットの位置の異なる３種類以上のダイヤル針と、バットの位置の異なる３種類以上のシリンダ針とを使用して編成した編地を採用してもよい。
【００１８】
また、上述した各実施形態では、インターロック編組織やモックロディ編組織の編地を採用しているが、これに限定されるものではなく、例えば、バックサテン編組織等、少なくとも一部に両面編み組織を含む編地であれば、種々の編地を採用することができる。
【００１９】
また、上述した各実施形態では、繊度が３３デシテックスの熱融着弾性糸１１及び繊度が８０番手の綿糸１２を用いて編成された、アウターウエアに適している生地について説明したが、熱融着弾性糸やそれ以外の糸の繊度を変えることで、生地の厚さを変えることができるので、糸の繊度を調整することによってインナーウエアの素材としても使用することができる。
【図面の簡単な説明】
【００２０】
【図１】（ａ）はこの考案に係る生地を形成している編地の編組織を示す平面図、（ｂ）は同上の編地の編組織を示す断面図である。
【図２】同上の編地の編成記号を示す図である。
【図３】同上の編地を編成するダイヤルシリンダタイプの丸編機の針を説明するための説明図である。
【図４】他の実施形態である生地を形成している編地の編成記号を示す図である。
【符号の説明】
【００２１】
１０  編地
１１  熱融着弾性糸
１２  綿糸
ＤＮＳ、ＤＮＬ  ダイヤル針
ＣＮＳ、ＣＮＬ  シリンダ針
ｂ  バット
【図１】
0003142666.tif 000003
【図２】
0003142666.tif 000004
【図３】
0003142666.tif 000005
【図４】
0003142666.tif 000006